(57)【要約】【課題】踏み固められたグランド面において、ゴルフボールを搭載するティーの高さを調整可能にする。【解決手段】棒状の重量体１０の下端に固定したピン１３の周面に複数本の溝１４を縦方向に形成する。ピン１３に形成した前記３本の溝１４は、ピン１３の下端を浅く上方に向けて徐々に深く削る。前記のピン１３を打ち込んだ地面の孔内には、前記３本の溝１４それぞれによりリブが突き出るように形作られる。この各リブが囲繞する孔がティー挿入孔となり、ティーは３本のリブとの摩擦で支持されるので、この摩擦に抗してティーの高さを任意に調整することができる。【選択図】図１
0003161309.tif 000002
【実用新案登録請求の範囲】
【請求項１】
手動力による打ち下ろし可能な重量体の下面に、下方向に向けて先細のピンを固定し、前記重量体の打ち下ろしにより前記ピンでもって地面にティーを挿入するティー孔を形成するティーボーリング具であって、
ティー孔に挿入されるティーを周りからの摩擦でもって支持するためのリブを、ティー孔内に形成するために、前記ピンは、その外面に、該ピンの軸線に沿う複数本の溝を形成していることを特徴とするティーボーリング具。
【請求項２】
溝の横断面の形状について、ピンの外周側の溝幅を、ピンの中心側の溝幅よりも広い形状にした請求項１に記載のティーボーリング具。
【考案の詳細な説明】
【技術分野】
【０００１】  本考案は、ゴルフボールを上端に搭載するティーを、踏みしめられて硬くなった地面に突き立てる場合の補助具、つまりホール地にティー挿入用のティー孔を形成するティーボーリング具に関する。
【背景技術】
【０００２】  従来のティーボーリング具は、棒状の重量体の下端に、先細のピンを延長固定し、人力による前記重量体の下動で前記ピンを地面に突き立てて、該地面にティー孔をボーリングする構造である。しかし各プレーヤがティーボーリング具を地面に打ち下ろす力加減及び地面硬度もホールごとに異なるから、テイー孔の深さを理想に合うように形成しにくく、しばしばティーボーリング具を再使用しなければという問題がある。【０００３】  近年、技術改良によりドライバーのヘッド面積は拡大し、それに伴いティーの長さ種類が多くなり、またティー孔から地面上に突き出るティーの高さは、各プレーヤの選択観によって種々異なるという事情があって、主観だけでティーボーリング具を使用していたのではティー孔内にティーが沈み過ぎたり、逆にティーが高すぎたりするミスが多くなる。そこで、この考案ではティ高さを任意に調整し得るティーボーリング具を提供することを目的とするものである。【０００４】
【特許文献１】特開２００９−２５４８１５号公報
【考案の開示】
【０００５】  本考案は前記目的のために、手動力でもって打ち下ろし可能な重量体の下面に、下方向に向けて先細のピンを固定し、前記重量体の打ち下ろしにより前記ピンでもって地面にティーを挿入する穴を形成するティーボーリング具であって、前記ピンの外面に、該ピンの軸線に沿う複数本の溝を形成することにより構成する。
【０００６】  前記の重量体は力加減することなくピン全体が地面内に沈むように打ち下ろす。先細のピンを地面に打ち込んだ場合、地面に形成されるティー孔の周囲の土砂は、前記ピンの挿入圧でもって水平放射方向に押し広げられるが、このときピン周面に形成した各溝の内部には土砂が入り込んで、土砂による縦方向の複数のリブを形成する。これらリブは、ピンの土砂への圧入でもって圧縮されているから、ピンを地面から引き抜いても各リブは形を整えたままピン孔の中心に向けて突き出た形状を保持する。
【０００７】  例えば円錐形のピンの長手方向にに沿って、機械加工或いは成型でもって複数の溝を削りだしたとき、ピンの中心には前記各溝に囲繞された状態で心棒部が残存する。このためピンを地面に突き立てたとき、地面内には各リブに囲繞された前記心棒部と同形のティー孔が形成されることになる。ただし、この各リブに囲繞されたティー孔の径は、市場で流通する一般的なティーの径よりも小さく、ティーを挿入ことで各リブは外方向に押し広げられる。この場合、各リブはその両側の隙間に向けて崩壊しつつ押し広げられる。そして該リブとの摩擦でもってティーを支持することになる。各リブ保形特性はティーを抱え込んで保持するので、アイアン用の短いティーを含めて、ティーの高さをプレーヤの理想に合うように小さな力で上下に調整することが可能である。またティに対するリブの抵抗が少ないので、打球時にティが折れにくいという効果もある。
【図面の簡単な説明】
【０００８】
【図１】ピン部分の説明図
【図２】ティーボーリング具の全体図
【図３】地面に形成したティー孔の説明図
【図４】他の実施例によるピンの説明図
【実施例１】
【０００９】  図２に示すボーリング具は、上端に握り部１１を備える縦長棒状の重量体１０と、該重量体の下端に、傘状のウエイト体１２を介してピン１３を垂下固定して構成する。【００１０】  図１における（イ図）は、円錐形のピン１３の拡大図であり、該ピン１３の周面には複数本の溝１４を縦方向に形成している。詳しくはＡ−Ａ線視である（ロ図）に示すように、前記のピン１３の周りには３本の溝１４が削り取られている。各溝１４は、ピン１３の円錐面を、下端を浅く上方に向けて徐々に深く削られる。このために３本の溝１４により削り残された心棒部（仮想線）１５の上下はほぼ同径である。【００１１】  このため図３に示すように、ピンを地面に打ち込み地面２０に形成されるティー孔２１の形状は、図１の（ロ図）における心棒部１５と、３本の溝１４により形成されるリブ（図３における２２）とにより形作られることになる。なお先細りの点線２１は、円錐形のピンの外径を示し、３本の溝によって形成されるリブ２３が囲繞する心棒部がティー挿入孔２２を形成する。【００１２】  図１の（イ図）に示すピン１３は全体が円錘形（角錘形を含む）の実施例について説明しているが、例えば図４の（イ図）に示すように、地面への突入抵抗は若干増すが下端３２を先細に形成した上下同径でかつ複数の溝１４を備える丸棒でもってピン３３を形成することが出来る。この場合の複数の溝１４は、下端３２を除いた大部分をほぼ同じ深さに形成する。【００１３】  図４の（ロ図）は先細の断面六角棒で、３本の溝１４を備える実施例である。。図１の（ロ図）に示した溝１４により形成されるリブは、その両コーナが角ばって自然に欠ける場合があるが、図４の（ロ図）では、溝１４を、ピン３３の外周側の溝幅に比較してピンの中心側の溝幅を狭くして山形にしている。この場合、ピン３３を地面から引き抜く抵抗が少なく、形成したリブのコーナにおける自然崩壊も少ないという効果がある。なお、かかる技術思想はこれまで説明した各実施例に利用できる。【００１４】  図４の（ハ図）は断面四角形で、その各コーナに沿って４本の溝を形成することで、地面へのピンの打ち込み抵抗を少なく出来、該実施例でも図４の（ロ図）に示した山形の溝１４を利用できる。
【実施例２】
【００１５】  図２におけるウエイト体１２は、ピン１３を地面に打ち込む場合のストッパーとして備わるものであるが、重量体１０そのものの重量を増加し、ウエイト体１２をストッパー機能のみとする実施例も考えられる。
【実施例３】
【００１６】  重量体１０は、柄の長いハンマー形状にし、その殴打面にピンを垂下して取り付けた構造のものを採用できる。
【符号の説明】
【００１７】１０‥‥重量体
１１‥‥握り部
１２‥‥ウエイト体
１３、３３‥‥ピン
１４‥‥溝
１５‥‥心棒部
１９‥‥ティー
２０‥‥地面
２１‥‥ティー孔
２２‥‥リブ
【図１】
0003161309.tif 000003
【図２】
0003161309.tif 000004
【図３】
0003161309.tif 000005
【図４】
0003161309.tif 000006